(57)【要約】      （修正有）【課題】レンズを保持するフロント部とフロント部の両側にツルを備え、ツルを折畳む為に連結する継手にネジを用いない、いつまでも安定して着用できるメガネフレームを提供する。【解決手段】ツル２は弾性（バネ性）に優れた材質で構成した継手部３を有し、継手部又は継手部とツルとの境界部に飾り８を取付け、ツルの先端にはツルを折畳んだ場合に開かないように継手部に係合する係合溝を形成する。【選択図】図３
0003204319.tif 000002
【実用新案登録請求の範囲】
【請求項１】
レンズを保持するフロント部と該フロント部の両側にツルを備え、該ツルを折畳む為に連結する継手にネジを用いないメガネフレームにおいて、上記ツルは弾性（バネ性）に優れた材質で構成した継手部を設け、該継手部又は継手部とツルとの境界部に飾りを取付け、ツル先端には係合溝を形成したことを特徴とするメガネフレーム。
【請求項２】
上記ツル先端部にモダンを挿着し、このモダン先端に係合溝を形成した請求項１記載のメガネフレーム。
【請求項３】
上記飾りには上方へ突出する凸片を設けた請求項１、又は請求項２記載のメガネフレーム。
【考案の詳細な説明】
【技術分野】
【０００１】
本考案はツルを折畳む為の軸ネジを備えた継手を用いないで構成し、その為に軸ネジの弛みを生じることなく何時までも安定して着用出来るメガネフレームに関するものである。
【背景技術】
【０００２】
メガネフレームはフロント部の両側にツルが取付けられ、該ツルは蝶番などの継手を介して折畳み出来るように成っている。図７は従来の一般的な金属製メガネフレームを示しているが、フロント部（イ）はレンズが嵌るリム（ロ）、（ロ）が連結部材（ハ）によって連結され、フロント部（イ）の両側にロウ付けしたヨロイ（ニ）、（ニ）にはツル（ホ）、（ホ）が蝶番（ヘ）、（ヘ）を介して連結している。
【０００３】
ところで、上記フロント部（イ）の形態は色々あるが、メガネフレームとしての基本形態は共通し、フロント部（イ）の両側に設けているヨロイ（ニ）、（ニ）に蝶番（ヘ）、（ヘ）を介してツル（ホ）、（ホ）は折畳み出来るように取付けられている。メガネは携帯する際にケースに収容される為に、両ツル（ホ）、（ホ）は折畳み出来るように取付けられているが、折畳みする為の手段として一般に蝶番（ヘ）、（ヘ）が用いられる。
【０００４】
そして、この蝶番（ヘ）、（ヘ）には軸ネジ（ト）、（ト）が備わっており、該軸ネジ（ト）、（ト）を中心としてツル（ホ）、（ホ）は旋回し、旋回に伴って軸ネジ（ト）、（ト）には弛みを生じる。その結果、ツル（ホ）、（ホ）はガタ付き、メガネを掛けた場合に安定性が損なわれる。従来、蝶番（ヘ）、（ヘ）に用いる軸ネジ（ト）、（ト）が弛まないように工夫したアイデアは色々知られている。
【０００５】
例えば、特開２０１０−１０７０２９号に係る「緩み防止ネジ」は、メガネのネジによる連結部の緩み止めを確実に行うようにしている。
そこで、ネジの切欠き部のネジ軸横断面への投影形状が、略三角形で、その頂点三点を直線で結んだ形状がほぼ直角不等辺三角形であり、その直角不等辺三角形の直角又は鈍角のどちらか一つの頂点が戻り側ネジ山頂部に、他方は谷底部にあるようにされ、そして、残りの鋭角部の頂点が押し込み側山頂部にあるように形成され、そして、そのようにして形成された前記切欠き部を少なくとも一箇所以上、一回転部に有するように形成している。
【０００６】
特開２００３−１８５９８０号に係る「メガネ部品の結合構造及びそれに用いる部品」はメガネレンズとメガネ部品とを結合する場合、両者のネジ結合部におけるネジの緩みを防止し、メガネフレ−ム部品とメガネレンズの回転を防止して両者を強固に結合することが出来る。
そこで、外形形状が円錐台形状をなすテ−パを成し、中央部には中心軸と直角な方向の断面の形状が多角形や楕円形状のような非円形状の孔を有するテーパ状の結合部品を、メガネレンズに形成されたテ−パ状の孔に挿入する。
一方、智やブリッジのようなメガネ部品に接合される部品として、外形形状が多角形や楕円形状のような非円形状であって中央部に雌ネジを形成した特定部材を用いる。そして、メガネ部品にこの特定部材を結合し、この部材を上記結合用部品の非円形状の孔に挿入して、この部材の雌ネジに雌ネジを締結することにより、メガネレンズとメガネ部品が回転しないようにして強固に結合できる。
【０００７】
メガネに要求される要件として、メガネを顔に掛けた時に位置ズレしない安定性が求められる。その為には、上記蝶番（ヘ）、（ヘ）の軸ネジ（ト）、（ト）が弛まないようにすると共に、メガネを掛けた状態で顔の側面を押圧するバネ力をツル（ホ）、（ホ）に付勢することである。従来では蝶番としてバネ蝶番と称するものが使用されて来ている。
【０００８】
ところで、このバネ蝶番はその内部に小さいコイルバネを収容したもので、ツルを外方向へ押開くことでコイルバネは圧縮され、その結果、ツルを元の位置に押し戻すバネ力が作用するように構成している。しかし、このバネ蝶番はその構造が非常に複雑であると共に、製作コストが高くなる。その為に、ツルの継手側に板バネを備えてバネ蝶番と同じように機能させたものも色々存在しているが、この継手構造の場合も製作コストが嵩むといった問題が残されている。
【特許文献１】特開２０１０−１０７０２９号に係る「緩み防止ネジ」
【特許文献２】特開２００３−１８５９８０号に係る「メガネ部品の結合構造及びそれに用いる部品」
【考案の開示】
【考案が解決しようとする課題】
【０００９】
このように、従来のメガネフレームには上記のごとき問題がある。本考案が解決しようとする課題はこの問題点であり、ツルを折畳む為の手段として軸ネジを備えた継手（蝶番）を持たず、そしてメガネを掛けた場合にツルが顔の側面に適度な力で押圧するバネ力を付勢することで安定して掛けることが出来るメガネフレームを提供する。
【課題を解決するための手段】
【００１０】
本考案に係るメガネフレームはフロント部とツルを有し、該ツルは折畳むことが出来るが、軸ネジを備えた蝶番などの継手を備えておらず、バネ性（弾性）に優れた線材で継手部を構成している。そこで、ツルを折畳む際には該継手部は曲げ変形することが出来る。ここで、継手部はツルと同じ線材にて連続して構成する場合、又はツルとは別線材にて構成することも出来るが、継手部に用いる具体的な材質に関しては限定しないことにする。
【００１１】
そして、ツルの先端部にはメガネを掛けた場合に耳に係止するモダンが取付けられる。該モダンの先端には係合溝が形成され、ツルを折畳んだ場合に開かないようにモダン先端に形成した係合溝はツル又は継手部に設けた飾りに係止することが出来る構造としている。すなわち、ツル又は継手部にツル先端が係止することが出来る飾りを取付けている。
【００１２】
ここで、上記飾りの材質や具体的な形態は限定せず、また上記フロント部の形態も自由であり、レンズが嵌るフルリムを有す場合、レンズの上側のみを拘束するハーフリムとレンズを支える水糸を有す場合、またリムを持たない縁なしフロント部として構成する場合の何れでもよい。上記モダンは樹脂で成形してツル先端部に挿着してもよく、ツルをそのまま延ばして線材にてモダン部を構成することも出来る。
【考案の効果】
【００１３】
本考案に係るメガネフレームはツルを連結する継手は軸ネジを用いないで構成している。その為に、組み立てに際してネジ締め工程は不要となり、その結果、製作工数は低下して安くなる。また、継手に軸ネジを用いないことで、従来のようなネジの弛みは発生せず、ツルの折畳み操作は常にスムーズの行われ、顔に掛けたメガネは安定する。メガネを外したフリーな状態で両ツルは内側へある程度撓んだ状態にあり、そこで、メガネを顔に掛ける際にツルは外方向へ押し開かれ、顔の側面には継手部の弾性復元力にて適度な押圧力が作用する。
【００１４】
そして、フロント部の両側に継手部を介して設けられるツルは内側へ撓んで折畳まれ、ツル先端に形成した係合溝が上記継手部又はツルに係合すると共に飾りに係止して止着される。
したがって、折畳まれたツルは継手部の弾性復元力が作用しても開かないように保持される。係合溝が継手部又はツルから外れた状態では両ツルは概略Ｘ状に交差し、その為にメガネを掛けた場合にツルを外方向へ押し開くことで、その反力が顔側面に作用してメガネは安定して着用される。すなわち、従来のバネ蝶番と同じような作用・効果を得ることが出来る。
【図面の簡単な説明】
【００１５】
【図１】本考案に係るメガネフレームの実施例で、（ａ）は平面図、（ｂ）正面図。
【図２】本考案に係るメガネフレームの実施例で側面図を示している。
【図３】ツルを折畳んだ状態のメガネフレームを示す平面図。
【図４】本考案に係るメガネフレームの継手部とツルの境界に飾りを取付けた詳細図。
【図５】折畳んだツルの先端が飾りに係合している場合。
【図６】モダン先端を示す具体例。
【図７】従来の一般的なメガネフレーム。
【考案を実施するための形態】
【００１６】
図１は本考案に係るメガネフレームを表す実施例で、（ａ）は平面図、（ｂ）は正面図を、そして図２は側面図をそれぞれ示している。同図の１はフロント部、２はツル、３は継手部を表している。フロント部１は両リム４，４とフロント板５を有し、該フロント板５の背面に上記リム４，４が左右対称を成して取付けられている。該フロント板５は上記両リム４，４の上縁に沿って左右に延びた形状で、両端には上記継手部３，３がロウ付けにて連結している。また、リム４，４の外側にはレンズを嵌めて締め付ける為のリムロック６，６を設けている。
【００１７】
同図に示すメガネのフロント部１はレンズ７，７が嵌るフルリム４，４を有し、このリム４，４が連結部材として機能するフロント板５によって繋がれ、フロント部１の両側にはヨロイはなく、フロント板５には継手部３，３が直接連結している。そして継手部３，３はそのまま延びてツル２，２を構成しているが、継手部３，３の領域は厚さを薄くして湾曲し易いようにしている。
【００１８】
図１（ａ）に平面図を示すように、両ツル２，２は概略Ｘ状にクロスしている。本考案のメガネフレームは従来の蝶番継手のような軸ネジを備えたものではなく、湾曲可能な細い線材で構成し、そのまま延びてツル２を構成している。メガネフレームを顔から取外した状態では両ツル２，２は内側へ撓んで概略Ｘ状にクロスし、メガネフレームを顔に掛ける場合には両ツル２，２を押し開くことになる。
【００１９】
本考案のメガネフレームには図２に示すように、その両ツル２，２又は継手部３，３に飾り８，８を取付けている。ここで、飾り８の形状は概略十字状を成し、上方へ凸片９，９を突出している。
従来の一般的なメガネフレームの場合、蝶番などの軸ネジを備えた継手にてツルは連結され、その為にメガネを外して折畳むことが出来る。しかし、本考案のメガネフレームでは軸ネジを持たない継手部３，３にてツル２，２が連結している為に従来のように折畳むことが出来ない。
【００２０】
図３はツル２，２が折畳まれた状態の平面図を示している。該ツル２，２には樹脂製のモダン１０，１０が挿着され、モダン先端に形成した係合溝が反対側のツル継手部３，３に係合し、上記飾り８，８に形成している凸片９，９に係止している。したがって、継手部３，３は大きく湾曲して折畳まれた両ツル２，２は元に戻ることはない。
モダン先端を飾り８，８から解放するならば、継手部３，３の弾性復元力にて両ツル２，２は図１（ａ）に示すように概略Ｘ状と成る。
【００２１】
図４は継手部３とツル２の境界部を示す拡大図であり、該境界部には飾り８を取着している。飾り８の具体的な形状、及び材質などは特に限定しないが、一つにはメガネフレームの装飾手段として、他にはツル２が折畳まれた際に元に戻らないようにする係止手段として機能することが出来る。
図５は折畳んだツル２のモダン１０が対向する側の継手部３とツル２の境界に取付けた飾り８に係止した場合を示している。
【００２２】
図６はモダン１０の先端を示す具体例であり、先端１２には係合溝１１が下縁を切欠いて形成されている。ツル２を折畳んで対向する側の継手部３に係合溝１１が係合し、同時に飾り８の凸片９にモダン先端１２を係止する。従って、モダン１０は継手部３及び飾り８から外れることなく折畳まれる。
ただし、該モダン先端の係合溝の形状は同図に示す場合に限定せず、また樹脂製のモダンを用いないでツルを構成することも可能である。
【符号の説明】
【００２３】
１   フロント部
２   ツル
３   継手部
４   リム
５   フロント板
６   リムロック
７   レンズ
８   飾り
９   凸片
10   モダン
11   係合溝
12   先端
【図１】
0003204319.tif 000003
【図２】
0003204319.tif 000004
【図３】
0003204319.tif 000005
【図４】
0003204319.tif 000006
【図５】
0003204319.tif 000007
【図６】
0003204319.tif 000008
【図７】
0003204319.tif 000009